(57)【要約】      （修正有）【課題】嚥下機能が低下した人の誤嚥を防止し、キャップ蓋の紛失を予防する。【解決手段】近位端から遠位端までを連通する内空を有し、遠位端の外径が近位端の外径より大きく、近位端から遠位端に向かう途中に括れ部を有する瓢箪形状を成しており、近位端から括れ部までの部分が括れ部から遠位端までの部分よりも柔らかい材質で形成されており、且つ遠位端の内壁にパウチ容器スパウトと連通するように取り付けるための螺合部が設けられている、アタッチメント本体と、アタッチメント本体の近位端の内空開口を塞ぐためのキャップ蓋と、キャップ蓋をアタッチメント本体に繋ぎとめるための線状体とを具える、パウチ容器スパウト用アタッチメント１００。【選択図】図４
2018058611.tif 000002
【特許請求の範囲】
【請求項１】
近位端から遠位端までを連通する内空を有し、遠位端の外径が近位端の外径より大きく、近位端から遠位端に向かう途中に括れ部を有する瓢箪形状を成しており、近位端から括れ部までの部分が括れ部から遠位端までの部分よりも柔らかい材質で形成されており、且つ遠位端の内壁にパウチ容器スパウトと連通するように取り付けるための螺合部が設けられている、アタッチメント本体を具える、パウチ容器スパウト用アタッチメント。
【請求項２】
アタッチメント本体の近位端の内空開口を塞ぐためのキャップ蓋と、
キャップ蓋をアタッチメント本体に繋ぎとめるための線状体と
をさらに具える、請求項１に記載のパウチ容器スパウト用アタッチメント。
【請求項３】
近位端から遠位端までの長さが４０〜５０ｍｍであり、近位端の外径が４〜５ｍｍであり、遠位端の外径が２０〜２５ｍｍであり、括れ部が近位端から１５〜２０ｍｍ距てた位置に在る、請求項１または２に記載のパウチ容器スパウト用アタッチメント。
【発明の詳細な説明】
【技術分野】
【０００１】
本発明は、パウチ容器スパウト用アタッチメントに関する。より詳細に、嚥下機能の低下した人、発熱等の病者などへの栄養や水分の摂取を容易にするためのパウチ容器スパウト用アタッチメントに関する。
【背景技術】
【０００２】
栄養や水分の補給を目的とした機能性ゼリーをパウチ容器に封入してなるものが知られている。この容器は、スパウト（注出口）にキャップ蓋がされていて、保管性、携帯性に優れている。キャップ蓋を外し、スパウトから機能性ゼリーを口に注出させて、摂取できる。市販のパウチ容器のスパウトは長さが短く、運動機能の低下した人などは、ゼリーを誤嚥することがある。また、一度に注出されるゼリーを所定量に規制することができない。そこで、流動食や飲料などが充填されたパウチ容器などの容器を開栓してそのスパウトに装着して内容物の吸引摂取を補助するための吸引補助具が提案されている（例えば、特許文献１）。
【先行技術文献】
【特許文献】
【０００３】
【特許文献１】特開２０１１−６３３０８号公報
【発明の概要】
【発明が解決しようとする課題】
【０００４】
本発明の課題は、ゼリーを舌の適切な位置に容易に注出しでき、一度に注出されるゼリーを所定量に規制することができ、嚥下機能の低下した人、発熱等の病者などへの栄養や水分の摂取を容易にするためのパウチ容器スパウト用アタッチメントを提供することである。
【課題を解決するための手段】
【０００５】
上記課題を解決すべく鋭意検討した結果、下記の形態を包含する本発明を完成するに至った。
【０００６】
〔１〕  近位端から遠位端までを連通する内空を有し、遠位端の外径が近位端の外径より大きく、近位端から遠位端に向かう途中に括れ部を有する瓢箪形状を成しており、近位端から括れ部までの部分が括れ部から遠位端までの部分よりも柔らかい材質で形成されており、且つ遠位端の内壁にパウチ容器スパウトと連通するように取り付けるための螺合部が設けられている、アタッチメント本体を具える、パウチ容器スパウト用アタッチメント。
【０００７】
〔２〕  アタッチメント本体の近位端の内空開口を塞ぐためのキャップ蓋と、
キャップ蓋をアタッチメント本体に繋ぎとめるための線状体と
をさらに具える、〔１〕に記載のパウチ容器スパウト用アタッチメント。
〔３〕  近位端から遠位端までの長さが４０〜５０ｍｍであり、近位端の外径が４〜５ｍｍであり、遠位端の外径が２０〜２５ｍｍであり、括れ部が近位端から１５〜２０ｍｍ距てた位置に在る、〔１〕または〔２〕に記載のパウチ容器スパウト用アタッチメント。
【発明の効果】
【０００８】
本発明のパウチ容器スパウト用アタッチメントは、嚥下機能の低下した人が、唇を括れ部に接するようにして口に含むことで誤嚥などを防止しつつ、機能性ゼリーを摂取できる。嚥下機能に障害のない人は、唇を括れ部に接するようにしてもよいし、唇を近位端の細い部分で接するようにしてもよいので、本発明のパウチ容器スパウト用アタッチメントは、対象者の状況に応じて、能動的摂取または受動的摂取のいずれにも対応できる。
【図面の簡単な説明】
【０００９】
【図１】本発明のパウチ容器スパウト用アタッチメントの一例を示す側面図である。
【図２】パウチ容器スパウトにスパウト用キャップ蓋が取り付けられている状態の一例を示す図である。
【図３】パウチ容器スパウトからスパウト用キャップ蓋を取り外した状態の一例を示す図である。
【図４】パウチ容器スパウトに本発明のパウチ容器スパウト用アタッチメントが取り付けられている状態の一例を示す図である。
【発明を実施するための形態】
【００１０】
図を参照しながら本発明の一実施形態を説明する。
本発明のパウチ容器スパウト用アタッチメント１００は、アタッチメント本体１を具えるものであり、好ましくはキャップ蓋２と線状体３とをさらに具えるものである。
【００１１】
アタッチメント本体１は、近位端から遠位端までを連通する内空を有する。内空は、遠位端に設けられる螺合部と、螺合部から近位端に至るまでの管部とからなる。管部は、近位端に向かって徐々に内径が小さくなるような形状を成していることが好ましい。
【００１２】
アタッチメント本体１は、遠位端の外径が近位端の外径より大きく、近位端から遠位端に向かう途中に括れ部４を有する瓢箪形状を成している。
アタッチメント本体は、近位端から遠位端までの長さが好ましくは４０〜５０ｍｍであり、近位端の外径が好ましくは４〜５ｍｍであり、遠位端の外径が好ましくは２０〜２５ｍｍである。括れ部４は近位端から１５〜２０ｍｍ距てた位置に在ることが好ましい。本発明のパウチ容器スパウト用アタッチメントを近位端側から口に含んだときに、唇が括れ部４に接するようにすると近位端の内空開口６が、嚥下し易い舌の上に位置するようになる。ゼリー入りのパウチ容器を、例えば、押し潰すとゼリーが内空開口６から注出される。
【００１３】
アタッチメント本体１は、近位端から括れ部４までの部分が括れ部４から遠位端までの部分よりも柔らかい材質で形成されている。近位端から括れ部４までの部分と括れ部４から遠位端までの部分との境界部分には、漸次柔らかさが変わるようなテーパ部を設けてもよい。近位端から括れ部までの部分および括れ部から遠位端までの部分ならびに必要に応じて境界部分を形成するための材料は特に限定されず、例えば、樹脂、ゴムなどを採用することができ、好ましくはポリプロピレン樹脂、軟質ポリオレフィン、シリコンゴム、シリコン樹脂を採用することができる。
【００１４】
アタッチメント本体は、遠位端の内壁にパウチ容器スパウトと連通するように取り付けるための螺合部が設けられている。パウチ容器スパウト９からスパウト用キャップ蓋７を取り外し、それに代えてアタッチメント１００を螺合部によってパウチ容器８のスパウト９に連通するように取り付けることができる。
【００１５】
キャップ蓋２は、アタッチメント本体の近位端の内空開口６を塞ぐためのものである。キャップ蓋２の形状は近位端の内空開口６を塞ぐことができれば特に限定されない。キャップ蓋の内面と、アタッチメント本体の近位端の外面とには、キャップ蓋が意に反して外れないようにするために、周を廻るように凹条と凸条とをそれぞれ対応させて形成させることができる。
【００１６】
線条体３は、キャップ蓋２をアタッチメント本体１に繋ぎとめるためのものである。線条体３の先端にキャップ蓋２が設置されていて、線状体３の後端はアタッチメント本体１に繋ぐことができるようになっている。キャップ蓋２を近位端から外し、近位端を口に含んだときに、顔に接するなどの鬱陶しさがないように、キャップ蓋２が重力で垂れ下がる程度の柔らかい材質で線状体３は形成することができる。線条体３の後端はアタッチメント本体１の遠位端の外面に設けた溝５に括り付けてもよいし、アタッチメント本体の遠位端にメルト接着させてもよい。
【００１７】
本発明のパウチ容器スパウト用アタッチメントは、嚥下機能の低下した人への栄養または水分の摂取を容易にすることができ、且つ介護若しくは看護をする者の負担が軽減できる。
【００１８】
本発明のパウチ容器スパウトは図に示す実施形態に限られず、各部の形状、大きさ、色、材質を変更したもの、またはアタッチメント本体、キャップ蓋および線状体以外の周知または慣用の部品を追加したものも本発明の技術的範囲に包含される。
【符号の説明】
【００１９】
１：アタッチメント本体、    ２：キャップ蓋、    ３：線条体、    ４：括れ部、    ５：溝、    ６：内空開口、    ７：スパウト用キャップ蓋、    ８：パウチ容器本体、    ９：スパウト、    １００：パウチ容器スパウト用アタッチメント
【図１】
2018058611.tif 000003
【図２】
2018058611.tif 000004
【図３】
2018058611.tif 000005
【図４】
2018058611.tif 000006